(57)【要約】【課題】飲み口の開口部位を開閉自在にして内部への塵埃の流入や保温効果の低下を抑止することができるとともに、飲み口の開口部位の開閉を簡便な操作で実現できるようにし、かつ、衛生面においても優れた飲料用容器を提供する。【解決手段】液体を貯留可能である本体部と、貫通孔を形成された天板と上記天板の外周部を囲む周壁とを有して構成されるとともに上記本体部と着脱自在に接続可能な蓋と、屈曲部において上記貫通孔を被覆する貫通孔被覆部と使用者が把持する把持部とが所定の角度に折れ曲がった全体として「く」の字型の形状を備えるとともに、上記屈曲部が上記蓋の周壁の領域に取り外し自在かつ揺動自在に係止されたレバーとを有するようにした。【選択図】        図１
0003118647.tif 000002
【実用新案登録請求の範囲】
【請求項１】
液体を貯留可能である本体部と、
貫通孔を形成された天板と前記天板の外周部を囲む周壁とを有して構成されるとともに前記本体部と着脱自在に接続可能な蓋と、
屈曲部において前記貫通孔を被覆する貫通孔被覆部と使用者が把持する把持部とが所定の角度に折れ曲がった全体として「く」の字型の形状を備えるとともに、前記屈曲部が前記蓋の周壁の領域に取り外し自在かつ揺動自在に係止されたレバーと
を有することを特徴とする飲料用容器。
【請求項２】
請求項１に記載の飲料用容器において、
前記レバーは、前記貫通孔被覆部が前記把持部よりも重く形成されている
ことを特徴とする飲料用容器。
【請求項３】
請求項１または２のいずれか１項に記載の飲料用容器において、
前記レバーは、前記貫通孔被覆部に凹部を形成した
ことを特徴とする飲料用容器。
【請求項４】
請求項１、２または３のいずれか１項に記載の飲料用容器において、
前記蓋は、前記周壁にスライド溝を備え、
前記レバーは、前記屈曲部に揺動支軸を備え、
前記揺動支軸を前記スライド溝に嵌合させて、前記レバーを前記蓋の周壁の領域に取り外し自在かつ揺動自在に係止する
ことを特徴とする飲料用容器。  
【請求項５】
請求項１、２、３または４のいずれか１項に記載の飲料用容器において、
前記レバーは、前記貫通孔被覆部の下面に前記貫通孔に嵌合する大きさの凸部を備えた
ことを特徴とする飲料用容器。  
【請求項６】
請求項５に記載の飲料用容器において、
前記凸部は、ゴムよりなる
ことを特徴とする飲料用容器。  
【請求項７】
請求項１、２、３、４、５または６のいずれか１項に記載の飲料用容器において、
前記レバーの前記把持部と前記本体部との間に、拡開方向への付勢力を有する弾性体を介装した
ことを特徴とする飲料用容器。  
【請求項８】
請求項１、２、３、４、５、６または７のいずれか１項に記載の飲料用容器において、さらに、
前記レバーを所定の位置で固定するストッパーを設けた
ことを特徴とする飲料用容器。
【考案の詳細な説明】
【技術分野】
【０００１】
本考案は、飲料用容器に関し、さらに詳細には、飲料用容器の飲み口における開口部位を覆うことのできる飲料用容器に関する。
【背景技術】
【０００２】
従来より、飲み口における開口部位を覆うための蓋を備えた飲料用容器が、広く一般に用いられている。
【０００３】
こうした飲料用容器の飲み口における開口部位を覆うための蓋は、飲料を貯留する飲料用容器の本体部の上部に位置する飲み口における開口部位を覆って密閉するために用いられるものである。そして、当該本体部内に貯留された飲料を飲む場合には、その都度本体部から蓋を取りはずす必要があり、本体部への蓋の取り付け取り外しに手間を要するものであるという問題点があった。
【０００４】
こうした問題点に鑑みて、上記の手間を回避するための手法として、蓋を本体部の上部に取り付けた状態のままで本体部内に貯留された飲料を飲むための工夫、即ち、蓋をしたままの状態で飲料を飲むための工夫が行われてきた。
【０００５】
そのような工夫の一つとして、例えば、飲料用容器の内部と外部とを完全に遮断するように密閉可能な蓋に、飲料用容器の内部と外部とを連通して飲むときに液体が通る小さな穴（以下、「貫通孔」と称する。）を穿設するという手法が実施されている。
【０００６】
ところが、上記した貫通孔を穿設された蓋においては、蓋に穿設された貫通孔が常に開放された状態で飲料用容器が放置されることになるため、貫通孔を通って空気中の塵埃が本体部の内部に入ってしまったり、あるいは、貫通孔を介しての放熱により保温効果が低下したりするなどの新たな問題点を招来するとともに、貫通孔が小さいと高温の飲料を飲み難く、口腔内を火傷する恐れがあるなどの新たな問題点を招来するものであった。
【０００７】
このため、上記した新たな問題点を解決する手法として、飲料用容器の蓋に設けられた貫通孔を覆うようなカバーを配設するという構造が提案されている。
【０００８】
こうしたカバーとしては、例えば、スライドして開閉するものや、つまみ上げて開閉するものや、蓋の一部にスプリングを内蔵するものなどが提案されている（例えば、特許文献１として提示する特開平１１−１２５８号公報を参照する。）。
【０００９】
これらのカバーは、いずれも貫通孔における開口領域を可変できるように構成されており、使用者が飲用時に当該開口領域の大きさを自由に調整することができるようになされているものであった。
【００１０】
しかしながら、上記した貫通孔を覆うカバーを備えた飲料用容器においては、カバーを開閉する際の操作が煩雑であったり、あるいは、カバーの開閉操作に大きな力が必要となるため片手での開閉操作が困難であったりして、単純な動作で飲用することができないという問題点の存在が指摘されていた。
【００１１】
また、上記のようにカバーの開閉操作が煩雑なため、カバーを開けて飲用した後にカバーを戻すのが面倒になり、結局のところカバーを開けた状態のままで飲料用容器を放置してしまい、貫通孔を通って空気中の塵埃が本体部の内部に入ってしまったり、あるいは、貫通孔を介しての放熱により保温効果が低下したりするという問題点の存在も指摘されていた。
【００１２】
さらに、蓋とカバーとの接続部分の構造やカバーの開閉機構が複雑なため、蓋とカバーとの取り外しが容易ではないので両者を分離して洗浄することができず、衛生面においても問題点があることが指摘されていた。
【特許文献１】特開平１１−１２５８号公報
【考案の開示】
【考案が解決しようとする課題】
【００１３】
本考案は、従来の技術の有する上記したような種々の問題点に鑑みてなされたものであり、その目的とするところは、飲み口の開口部位を開閉自在にして内部への塵埃の流入や保温効果の低下を抑止することができるとともに、飲み口の開口部位の開閉を簡便な操作で実現できるようにし、かつ、衛生面においても優れた飲料用容器を提供しようというものである。
【課題を解決するための手段】
【００１４】
上記目的を達成するために、本考案による飲料用容器は、簡潔な構成により、飲用時には簡単な動作で飲み口の開口部位を開いて飲料を飲むことを可能にするとともに、飲用後には自動的に飲み口の開口部位が閉じられるようにして、非飲用時に飲み口の開口部位が開いたままの状態とはならないようにしたものである。
【００１５】
即ち、本考案のうち請求項１に記載の考案は、液体を貯留可能である本体部と、貫通孔を形成された天板と上記天板の外周部を囲む周壁とを有して構成されるとともに上記本体部と着脱自在に接続可能な蓋と、屈曲部において上記貫通孔を被覆する貫通孔被覆部と使用者が把持する把持部とが所定の角度に折れ曲がった全体として「く」の字型の形状を備えるとともに、上記屈曲部が上記蓋の周壁の領域に取り外し自在かつ揺動自在に係止されたレバーとを有するようにしたものである。
【００１６】
また、本考案のうち請求項２に記載の考案は、本考案のうち請求項１に記載の考案において、上記レバーは、上記貫通孔被覆部が上記把持部よりも重く形成されているようにしたものである。
【００１７】
また、本考案のうち請求項３に記載の考案は、本考案のうち請求項１または２のいずれか１項に記載の考案において、上記レバーは、上記貫通孔被覆部に凹部を形成したものである。
【００１８】
また、本考案のうち請求項４に記載の考案は、本考案のうち請求項１、２または３のいずれか１項に記載の考案において、上記蓋は、上記周壁にスライド溝を備え、上記レバーは、上記屈曲部に揺動支軸を備え、上記揺動支軸を上記スライド溝に嵌合させて、上記レバーを上記蓋の周壁の領域に取り外し自在かつ揺動自在に係止するようにしたものである。
【００１９】
また、本考案のうち請求項５に記載の考案は、本考案のうち請求項１、２、３または４のいずれか１項に記載の考案において、上記レバーは、上記貫通孔被覆部の下面に上記貫通孔に嵌合する大きさの凸部を備えたものである。
【００２０】
また、本考案のうち請求項６に記載の考案は、本考案のうち請求項５に記載の考案において、上記凸部は、ゴムよりなるものである。
【００２１】
また、本考案のうち請求項７に記載の考案は、本考案のうち請求項１、２、３、４、５または６のいずれか１項に記載の考案において、上記レバーの上記把持部と上記本体部との間に、拡開方向への付勢力を有する弾性体を介装したものである。
【００２２】
また、本考案のうち請求項８に記載の考案は、本考案のうち請求項１、２、３、４、５、６または７のいずれか１項に記載の考案において、さらに、上記レバーを所定の位置で固定するストッパーを設けたものである。
【考案の効果】
【００２３】
本考案は、以上説明したように構成されているので、飲み口の開口部位を開閉自在にして内部への塵埃の流入や保温効果の低下を抑止することができるとともに、飲み口の開口部位の開閉を簡便な操作で実現でき、しかも、簡潔な構成により容易に洗浄可能であって衛生的であるという優れた効果を奏する。
【考案を実施するための最良の形態】
【００２４】
以下、添付の図面を参照しながら、本考案による飲料用容器の実施の形態の一例を詳細に説明するものとする。
【００２５】
まず、図１乃至図６を参照しながら、本考案による飲料用容器の第１の実施の形態について説明すると、この飲料用容器１０は、上部が開口するとともに内部に飲料を貯留可能な本体部１２と、本体部１２の上部に着脱自在に配設された蓋１４と、蓋１４に揺動自在に係止されたレバー１６とを有して構成されている。
【００２６】
ここで、本体部１２は、断熱効果を得るために内筒１２ａと外筒１２ｂとからなる２重構造を備えており（図２（ａ）参照）、本体部１２の内部に貯留された液体を保温することができる。
【００２７】
また、本体部１２の内筒１２ａの上部には、蓋１４を取り付けるためのねじ部１２ｃが形成されている。
【００２８】
次に、蓋１４について説明すると、蓋１４は、周壁１４ａと天板１４ｂと有して構成されており（図３（ａ）（ｂ）参照）、全体として上部が凹んだ凹形状を備えている。
【００２９】
そして、天板１４ｂの周壁１４ａと隣接する一部領域には、飲み口の開口部位を構成する貫通孔１８が穿設されている。
【００３０】
また、天板１４ｂは、貫通孔１８が形成された領域から当該貫通孔１８と対向する天板１４ｂの周壁１４ａと隣接する領域に向けて、上方に隆起するように傾斜して形成されている。つまり、貫通孔１８が形成されている領域が天板１４ｂの下部領域１４ｂａとなり、貫通孔１８と対向する側の領域へ向かうに従って高くなって上部領域１４ｂｂとなる。
【００３１】
一方、周壁１４ａは、天板１４ｂの下部領域１４ｂａ側が高い上部領域１４ａａとなり、天板１４ｂの上部領域１４ｂｂ側が低い下部領域１４ａｂとなる（図３（ｂ）（ｃ）（ｄ）参照）。
【００３２】
そして、周壁１４ａの下部領域１４ａｂ側の領域の一部は切り欠かれていて、溝部１４ａｃが形成されている。この溝部１４ａｃの対向する壁面には、一対のスライド溝２０が形成されている。
【００３３】
ここで、スライド溝２０は、両端部が下方を向くようにして「へ」の字型に屈曲しており、一方の端部２０ａは外部に開放されており、他方の端部２０ｂは閉塞されている。後述するが、このスライド溝２０には、揺動可能なレバー１６が差し込まれることになる。
【００３４】
また、蓋１４の下部外周面には、本体部１２のねじ部１２ｃとねじ結合可能なねじ部１４ｃが形成されており、リング状のパッキン２２を介してねじ部１２ｃとねじ部１４ｃとをねじ結合することにより、本体部１２と蓋１４とが一体化される。
【００３５】
次に、図４（ａ）（ｂ）（ｃ）を参照しながらレバー１６について説明すると、レバー１６は、屈曲部において貫通孔被覆部１６ｅと把持部１６ｆとが略１１０度に折れ曲がった全体として「く」の字型の形状を備えており、その屈曲部分には一対の揺動支軸１６ａが突設されている。この一対の揺動支軸１６ａは、蓋１４に形成された一対のスライド溝２０内にそれぞれ差し込まれ、揺動支軸１６ａはスライド溝２０の端部２０ｂに配置される。これにより、貫通孔被覆部１６ｅが天板１４ｂに沿うとともに、把持部１６ｆが本体部１２の外周面に沿うようにして、蓋１４に対してレバー１６が揺動自在に係止される。
【００３６】
また、レバー１６の貫通孔被覆部１６ｅは、揺動支軸１６ａをスライド溝２０の端部２０ｂに配置したときにレバー１６の端部が蓋１４の天板１４ｂ上にある貫通孔１８を覆うことができる大きさを備えているものとする。
【００３７】
そして、レバー１６の貫通孔１８と当接する部位には、貫通孔１８内に緊密に嵌合する形状を備えた貫通孔閉鎖用凸部１６ｂが形成されている。
【００３８】
このレバー１６は、貫通孔被覆部１６ｅが把持部１６ｆよりも重く形成されており、従って、レバー１６は自重により揺動支軸１６ａを回転中心にして貫通孔被覆部１６ｅが貫通孔１６を押圧するように回転して、貫通孔閉鎖用凸部１６ｂにより貫通孔１８が閉鎖される。
【００３９】
以上の構成において、図５（ａ）（ｂ）（ｃ）を参照しながらレバー１６を蓋１４に取り付けるための手順を説明すると、まず、レバー１６の屈曲部分に突設された揺動支軸１６ａをスライド溝２０の端部２０ａに位置合わせして、揺動支軸１６ａをスライド溝２０内へ挿入する（図５（ａ）参照）。
【００４０】
それから、レバー１６の揺動支軸１６ａをスライド溝２０に沿って奥に押し込むようにレバー１６をスライドさせていくと、揺動支軸１６ａがスライド溝２０の屈曲部に到達する（図５（ｂ）参照）。
【００４１】
さらに、揺動支軸１６ａをスライド溝２０の端部２０ｂまで押し込む様にして斜め下方向にレバー１６をスライドさせ、揺動支軸１６ａを端部２０ｂに配置して、レバー１６の端部１６ｄ近傍の裏面にある貫通孔用凸部１６ｂを貫通孔１８にはめ込むように合わせる（図５（ｃ）参照）。
【００４２】
以上の手順の操作により、蓋１４へのレバー１６の取り付けが完了し、使用可能な状態となる（図６（ａ）参照）。
【００４３】
次に、使用者が飲料を飲む際の動作について説明すると、使用者が本体部１２に飲料を貯留した飲料用容器１０から飲料を飲む際には、使用者は自身の手指を用いて本体部１２を把持することになる。その際に、レバー１６の把持部１６ｆ、例えば、レバー下方端部１６ｃを本体部１２とともに掴むと、本体部１２にぶつかる方向へレバー下方端部１６ｃに力が加わるため、貫通孔１８を被覆しているレバー上方端部１６ｄが揺動支軸１６ａを中心として回転し、上方向に持ち上がる（図６（ｂ）参照）。
【００４４】
このように、使用者が飲料用容器１０から飲料を飲む際に、レバー１６の把持部１６ｆ、例えば、レバー下方端部１６ｃを本体部１２とともに持つと、レバー上方端部１６ｄが自然に持ち上がるので、飲み口の開口部位たる貫通孔１８が開放される。従って、使用者は、この貫通孔１８を介して本体部１２内に貯留された飲料を飲用することが可能になる。
【００４５】
また、レバー１６は、上記した取り付けの操作と逆の手順の操作を行えば、蓋１４から容易に取り外すことが可能であり、また、蓋１４と本体部１２とはねじ結合を解除することにより簡単に分解することができるので、飲料用容器１０全体を各構成部材に簡単な手順で分解することができる。
【００４６】
従って、飲料用容器１０の構成部材を分解して洗浄することができるので極めて衛生的であり、また、分解後に再び組み立てることも容易である。
【００４７】
次に、図７乃至図９を参照しながら、本考案による飲料用容器の第２の実施の形態について説明する。
【００４８】
なお、以下の説明においては、図１乃至図６を参照しながら説明した本考案による飲料用容器の第１の実施の形態と同一または相当する構成については、上記において用いた符号と同一の符号を用いて示すことにより、その構成ならびに作用の詳細な説明は適宜に省略することとする。
【００４９】
この本考案による飲料用容器の第２の実施の形態たる飲料用容器１００は、レバー１６の貫通孔被覆部１６ｅに凹部１０６が形成されており、天板１４の凹部１０６に対応する位置に凹所１０９が形成されている点において、上記した飲料用容器１０と異なる。
【００５０】
なお、凹所１０９は、貫通孔被覆部１６ｅに凹部１０６と天板１４との当接を避けるために形成されている。
【００５１】
従って、この飲料用容器１００によれば、レバー１６の貫通孔被覆部１６ｅに形成された凹部１０６の存在により、使用者が飲料用容器１００を利用する際に、レバー１０６の貫通孔被覆部１６ｅに鼻がぶつかることを気にせずに、飲料用容器１００を使用できるようになる（図９（ｂ）参照）。
【００５２】
なお、上記した実施の形態は、以下の（１）および（９）に説明するように変形してもよい。
【００５３】
（１）上記した実施の形態においては、飲料用容器１０では本体部１２が蓋１４を覆うようにそれぞれにねじ部が形成されており、飲料用容器１００では本体部１２が蓋１４により覆われる構成を図示したが、本体部１２と蓋１４とがいずれを覆うようにしてもよいことは勿論である。
【００５４】
（２）上記した実施の形態においては、レバー１６に揺動支軸１６ａを突設し、蓋１４にスライド溝２０を形成したが、これに限られるものではないことは勿論であり、蓋１４に揺動支軸を突設し、レバー１６にスライド溝を形成するようにしてもよい。
【００５５】
（３）上記した実施の形態においては、飲料用容器１０、１００を構成する本体部１２、蓋１４あるいはレバー１６などの材料についての詳細な説明は省略したが、これらの材料としては耐熱性樹脂や金属などの適宜の材料を選択すればよい。
【００５６】
（４）上記した実施の形態においては、容器１２と蓋１４とをねじ結合により一体化したが、これに限られるものではないことは勿論であり、使用時に飲料の重みに耐え、また、飲用時にはずれないような締結方法であれば、はめ込みなどの他の手法を用いてもよい。
【００５７】
（５）上記した実施の形態においては、貫通孔用凸部１６ｂの材料についての詳細な説明は省略したが、レバー１６と貫通孔用凸部１６ｂとは必ずしも同一の材料で形成しなくてもよいことは勿論であり、貫通孔用凸部１６ｂのみをゴムなどの重量がある弾性材料を用いて形成してもよい。貫通孔用凸部１６ｂを形成する際に重量のある弾性材料を用いると、自重により貫通孔用凸部１６ｂが貫通孔１８と嵌合しやすくなるとともに、貫通孔用凸部１６ｂと貫通孔１８との嵌合による気密性を向上することができるようになる。
【００５８】
（６）上記した実施の形態においては、自重により貫通孔用凸部１６ｂが貫通孔１８と嵌合するように構成したが、これに限られるものではないことは勿論であり、図１０（ａ）に示すように、レバー１６の把持部１６ｆと本体部１２との間に、拡開方向への付勢力を有する金属や樹脂などで形成された板バネなどの弾性体を介装し、使用者がレバー１６から手を放した際には、当該付勢力により貫通孔用凸部１６ｂが貫通孔１８と嵌合するようにしてもよい。
【００５９】
（７）上記した実施の形態においては、自重により貫通孔用凸部１６ｂが貫通孔１８と嵌合するように構成したが、これに限られるものではないことは勿論であり、図１０（ｂ）に示すように、レバー１６を任意の位置で固定するストッパーを設けるようにしてもよい。
【００６０】
（８）上記した実施の形態においては、レバー１６は屈曲部において貫通孔被覆部１６ｅと把持部１６ｆとが略１１０度に折れ曲がった形状に形成したが、これに限られるものではないことは勿論であり、貫通孔被覆部１６ｅと把持部１６ｆとの折れ曲がりの角度は設計に応じて適宜に変更すればよい。
【００６１】
（９）上記した実施の形態ならびに上記（１）乃至（８）に示す変形例は、適宜に組み合わせるようにしてもよい。
【産業上の利用可能性】
【００６２】
本考案は、使用者がコーヒーや紅茶などの飲料を飲む場合や、使用頻度の高い調味料を入れる場合などに利用することができる。
【図面の簡単な説明】
【００６３】
【図１】図１は、本考案による飲料用容器の第１の実施の形態の斜視図である。
【図２】図２（ａ）は、図１に示す飲料用容器の分解正面図であり、図２（ｂ）は、図１に示す飲料用容器の要部分解斜視図である。
【図３】図３（ａ）は、図１に示す飲料用容器の蓋の平面図であり、図３（ｂ）は、図１に示す飲料用容器の蓋の正面図であり、図３（ｃ）は、図１に示す飲料用容器の蓋の左側面図であり、図３（ｄ）は、図１に示す飲料用容器の蓋の右側面図である。
【図４】図４（ａ）は、図１に示す飲料用容器のレバーの平面図であり、図４（ｂ）は、図１に示す飲料用容器のレバーの正面図であり、図４（ｃ）は、図１に示す飲料用容器のレバーの左側面図である。
【図５】図５（ａ）（ｂ）（ｃ）は、図１に示す飲料用容器の蓋とレバーと係合関係を説明するための要部説明図である。
【図６】図６（ａ）（ｂ）は、図１に示す飲料用容器の使用状態の断面説明図である。
【図７】図７（ａ）は、本考案による飲料用容器の第２の実施の形態の一部断面正面図であり、図７（ｂ）は、図７（ａ）に示す飲料用容器の要部分解斜視図である。
【図８】図８（ａ）は、図７（ａ）に示す飲料用容器の蓋の平面図であり、図８（ｂ）は、図８（ａ）のＢ−Ｂ線による断面図であり、図８（ｃ）は、図７（ａ）に示す飲料用容器のレバーの平面図であり、図８（ｄ）は、図７（ａ）に示す飲料用容器のレバーの正面図である。
【図９】図９（ａ）（ｂ）は、図７（ａ）に示す飲料用容器の使用状態の一部断面説明図である。
【図１０】図１０（ａ）（ｂ）は、本考案による飲料用容器の他の実施の形態を示す一部断面要部説明図である。
【符号の説明】
【００６４】
１０、１００        飲料用容器
１２、１０２        本体部
１２ａ      内筒
１２ｂ      外筒
１２ｃ      ねじ部
１４、１０４        蓋
１４ａ、１０４ａ      周壁
１４ｂ、１０４ｂ      天板
１４ｃ      ねじ部      
１６、１０６        レバー
１６ａ、      揺動支軸
１６ｂ      貫通孔用凸部
１６ｃ      レバー下方端部
１６ｄ      レバー上方端部
１８        貫通孔
２０        スライド溝
１０６ａ    窪み
１０９      凹部
【図１】
0003118647.tif 000003
【図２】
0003118647.tif 000004
【図３】
0003118647.tif 000005
【図４】
0003118647.tif 000006
【図５】
0003118647.tif 000007
【図６】
0003118647.tif 000008
【図７】
0003118647.tif 000009
【図８】
0003118647.tif 000010
【図９】
0003118647.tif 000011
【図１０】
0003118647.tif 000012